(57)【要約】【課題】サドル接触モードの識別システムを提供することにある。【解決手段】サドル接触モードの識別システムはサドル１１１と変形可能な圧力感知装置１１２とを備える。変形可能な圧力感知装置は１１２サドル１１に配置され、変形可能な圧力感知装置は１１２座位圧力に応じて変形し、変形に基づいてサドルタイプが決定される。変形可能な圧力感知装置１１２は正確に骨盤の接触形状を得られる。座位圧力が解除された後に、変形はサドル上で視認でき、変形を比較テーブルと比較することで、ユーザーにとって適切なサドルタイプを即座に決定することが可能である。従って、識別システムは試験時間を節約し製造コストを削減することができる。【選択図】  図１
2015205687.tif 000002
【特許請求の範囲】
【請求項１】
サドルと、
前記サドルに配置され、座位圧力に応じてサドルタイプを示す変形を提供し、前記座位圧力が除去された後も前記変形を保持するよう構成される変形可能な圧力感知装置と、
を備えることを特徴とする装置。
【請求項２】
比較テーブルをさらに備え、
前記比較テーブルは、前記変形可能な圧力感知装置の異なる変形に対応する複数のサドルタイプを含むことを特徴とする請求項１に記載の装置。
【請求項３】
前記変形は、１セットの形状の一つに対応可能であり、それぞれの形状が前記サドルタイプを示すことを特徴とする請求項１又は２に記載の装置。
【請求項４】
前記１セットの形状は２つの楕円形状を含むことを特徴とする請求項３に記載の装置。
【請求項５】
前記変形可能な圧力感知装置は、流体材料で形成され、
前記流体材料は、前記座位圧力に応じて移動し、前記座位圧力が解除されると、即座に元の位置に戻らずに模擬形状として形成されることを特徴とする請求項１から４の何れか一項に記載の装置。
【請求項６】
前記変形可能な圧力感知装置は、前記座位圧力に応じて変形し、前記座位圧力が除去された後も形状を保持する形状記憶材料で形成されることを特徴とする請求項１から４の何れか一項に記載の装置。
【請求項７】
前記変形は、前記座位圧力が解除された後に前記圧力感知装置で変形取消動作がなされるまで、前記サドルで視認できる模擬形状であることを特徴とする請求項１から６の何れか一項に記載の装置。
【請求項８】
前記サドルは本体及び表皮を有し、
前記変形可能な圧力感知装置は、前記本体と前記表皮の間に配置されることを特徴とする請求項１から７の何れか一項に記載の装置。
【請求項９】
前記サドルは本体及び表皮を有し、
前記変形可能な圧力感知装置は、前記表皮の上部に配置されることを特徴とする請求項１から７の何れか一項に記載の装置。
【請求項１０】
前記サドルは本体及び表皮を有し、
前記表皮は、前記座位圧力により生じる前記変形を観察可能な透明材料から構成されることを特徴とする請求項１から７の何れか一項に記載の装置。
【請求項１１】
前記サドルは自転車装置に設置され、
前記座位圧力は前記自転車装置に乗っている乗り手から生じるものであり、
前記自転車装置は、２輪自転車又は固定された自転車装置であることを特徴とする請求項１から１０の何れか一項に記載の装置。
【請求項１２】
前記変形可能な圧力感知装置は、乗り手の前部部分の接触を示す第１の変形、および、
乗り手の後部部分の接触を示す第２の変形を提供するよう構成されることを特徴とする請求項１から１１の何れか一項に記載の装置。
【請求項１３】
サドルを識別する方法であって、
自転車装置に、サドルと前記サドルに配置された変形可能な圧力感知装置を設置する工程と、
乗り手が前記自転車装置に乗った時、前記乗り手が前記サドル及び前記変形可能な圧力感知装置に対し座位圧力を付与する工程と、
前記座位圧力に応じて、前記変形可能な圧力感知装置が、サドルタイプを示すよう変形し、前記座位圧力が除去された後も前記変形が保持される工程と、
前記座位圧力の除去の後に保持される前記変形に基づき前記乗り手に対するサドルタイプを決定する工程と、
を備えることを特徴とする方法。
【請求項１４】
前記変形は、１セットの形状の一つに対応可能であり、それぞれの形状はサドルタイプを示すことを特徴とする請求項１３に記載の方法。
【請求項１５】
前記変形可能な圧力感知装置の前記変形は、前記座位圧力が解除された後に、前記変形可能な圧力感知装置で変形取消動作が行うまで、前記サドルで視認可能な模擬形状を形成することを特徴とする請求項１３又は１４に記載の方法。
【発明の詳細な説明】
【技術分野】
【０００１】
本発明はサドル接触モードの識別システムに関し、特に、サドルとユーザーの臀部との接触モードに応じた適切なサドルを決定するのに使用される識別システムに関する。
【背景技術】
【０００２】
自転車の乗車はリラックスを与え、体を強化することが可能である。それゆえ、最も人気のあるレジャー活動の一つとなっている。しかし、長い乗車の間、不適切なサドルが痛みを生じさせ、ユーザーの臀部とサドルとの間の摩擦及び圧力により臀部に不快感を生じるであろう。
【０００３】
適切なサドルを選択する従来の方法の一つは、坐骨の幅を静止測定することである。静止測定の第１の欠点は、自転車の乗車の間に接触するのは面積であることを考慮せず、坐骨の幅の一点しか計測されないことである。静止測定の第２の欠点は静止状態での測定結果は動的な乗車の間の測定結果と異なることである。即ち、骨盤は異なる乗車形状により生じる異なる回転度を有するであろう。さらに、骨盤の形はユーザー間で異なる。従って、静止測定の最も広い点は実際の接触モードを間接的にしか推測できない。そのようであるため、静止測定は効果的ではない。
【０００４】
適切なサドルを選択する他の方法は柔軟性試験に応じてユーザーの接触を分類することである。その様な試験は柔軟性と実際に自転車に乗車する時の骨盤の前方回転との関連が低い。最後に、自転車の乗車の間、様々な試作品のサドルを乗り手が試験する又は試すことが可能である。しかしそのような選択方法は時間がかかり、様々なユーザーからの自身の感覚や圧力分布についての表現は十分に精密でなく、よってこれはサドルを迅速、効果的且つ安定して再生できる方法で選択する正確な方法ではない。
【発明の概要】
【発明が解決しようとする課題】
【０００５】
本発明の目的は、サドル接触モードの識別システムを提供することにある。
【課題を解決するための手段】
【０００６】
本発明によるサドル接触モードの識別システムは、サドルと、変形可能な圧力感知装置を含む。変形可能な圧力感知装置はサドルの上に配置されるかサドルと一体化され、座位圧力に基づき模擬形状を形成するため変形し、模擬形状に応じてサドルのタイプが決定される。
【０００７】
本発明の他の態様によると、サドル接触モードの識別システムが提供される。サドル接触モードの識別システムはサドルと、サドルに配置された変形可能な圧力感知装置を含む。変形可能な圧力感知装置は、座位圧力に応じて、サドルのタイプを示す変形を提供し、座位圧力の除去の後も変形を保持するよう構成される。
【０００８】
本発明は、以下の詳細な説明および添付の図面を参照することで、より十分に理解され得る。
【図面の簡単な説明】
【０００９】
【図１】本発明の一実施形態によるサドル接触モードの識別システムを示す斜視図である。
【図２】本発明の他の実施形態によるサドル接触モードの識別システムを示す斜視図である。
【図３】本発明の一実施形態によるサドルと一体化した変形可能な圧力感知装置を示す斜視図である。
【図４Ａ】本発明の一実施形態による二点状である模擬形状を示す上面図である。
【図４Ｂ】本発明の一実施形態による八字状である模擬形状を示す上面図である。
【図４Ｃ】本発明の一実施形態によるＶ字状である模擬形状を示す上面図である。
【発明を実施するための形態】
【００１０】
図１は本発明の一実施形態によるサドル接触モードの識別システム１００の斜視図である。図１において、サドル接触モードの識別システム１００はサドル１１１と変形可能な圧力感知装置１１２を含む。変形可能な圧力感知装置１１２はサドル１１１に左右対称に配置され、ユーザーからの静止座位圧力に応じて変形し、模擬形状を形成する。サドル１１１は固定された自転車装置に設置される。サドル接触モードの識別システム１００はさらに比較テーブルを含む。比較テーブルは複数のサドルタイプを含み、模擬形状と比較テーブルの分析の後、サドルタイプの一つが選択される。
【００１１】
図２は本発明の他の実施形態によるサドル接触モードの識別システム１００の斜視図である。図２において、サドル接触モードの識別システム１００は自転車１１０と、サドル１１１と、変形可能な圧力感知装置１１２とを含む。サドル１１１は自転車１１０に設置される。変形可能な圧力感知装置１１２はサドル１１１に左右対称に配置される。変形可能な圧力感知装置１１２は、ユーザーが乗っている時の座位圧力に応じて、例えば模擬形状を形成する等の変形を提供するように構成される。サドル接触モードの識別システム１００はさらに比較テーブルを含む。比較テーブルは複数のサドル１１１のタイプを含み、模擬形状と比較テーブルの分析の後に複数のサドル１１１のタイプの一つが選択される。
【００１２】
前述の静止状態又は乗車状態での比較テーブルを用いた模擬形状の分析は、乗り手がサドルから立ち上がった後に保持される変形（例えば模擬形状）を目で観察することにより処理される。特定のユーザーに適応したサドルタイプが保持された変形及び比較テーブルを分析した後に選択される。
【００１３】
図３は本発明の一実施形態によるサドル１１１に配置された変形可能な圧力感知装置１１２の斜視図である。図４Ａは本発明の一実施形態による二点状である模擬形状の上面図であり、図４Ｂは本発明の一実施形態による八字状である模擬形状の上面図であり、図４Ｃは本発明の一実施形態によるＶ字状である模擬形状の上面図である。図３及び図４Ａから４Ｃにおいて、サドル１１１は本体１１１ａと表皮１１１ｂを含み、変形可能な圧力感知装置１１２は表皮１１１ｂの上部に配置される。変形可能な圧力感知装置１１２は本体１１１ａと表皮１１１ｂの間に配置することも可能である。表皮１１１ｂは変形可能な圧力感知装置１１２の変形／模擬形状を透明な表皮を通して観察できるよう、透明の材料で形成され得る。
【００１４】
図４Ａは二点状である模擬形状の上面図である。図４Ａにおいて、二点状は座位圧力に応じてサドル１１１上の変形可能な圧力感知装置１１２により形成され、これはユーザーの坐骨の後半部分が変形可能な圧力感知装置１１２に接触することを表す。図４Ｂは八字状である模擬形状の上面図である。八字状は座位圧力に応じてサドル１１１上の変形可能な圧力感知装置１１２により形成され、これはユーザーの坐骨の前半部分が変形可能な圧力感知装置１１２に接触することを表す。図４ＣはＶ字状である模擬形状の上面図である。Ｖ字状は座位圧力に応じてサドル１１１上の変形可能な圧力感知装置１１２により形成され、これはユーザーの坐骨の前半部分及び恥骨結合が変形可能な圧力感知装置１１２に接触することを表す。
【００１５】
変形可能な圧力感知装置１１２は閉じ込められた空間である。変形可能な圧力感知装置１１２は流体材料又は形状記憶材料から形成され、それらの特徴は、ユーザーが静止して座る又は動的に乗車する時、サドル１１１とユーザーの骨盤の実際の接触に応じて模擬形状を作製するよう変形できることである。
【００１６】
一つの例において、変形可能な圧力感知装置１１２は流体材料から形成される。流体材料（例えばグリース）は流動可能であり、座位圧力が解除されると、流体材料は即座に元の形状に戻らずに模擬形状として形成されるであろう。
【００１７】
一つの例において、変形可能な圧力感知装置１１２は形状記憶材料から形成される。形状記憶材料はセラミック材料又はポリマー材料である。ポリマー材料はサーモトロピック形状記憶ポリマー、エレクトロクロミック形状記憶ポリマー、光誘起形状記憶ポリマー又は化学的に誘発された形状記憶ポリマーである。形状記憶材料の特徴は、ユーザーが静止して座る又は動的に乗車する時、サドル１１１とユーザーの骨盤の実際の接触に応じて模擬形状を形成できることである。座位圧力が解除されると、形状記憶ポリマーの形状は即座に元に戻らないであろう。変形可能な圧力感知装置１１２は、次回の使用の前に外力（例えば熱、電力、光又は化学エネルギー）を使用して元の形状に戻ることが出来る。
【００１８】
比較テーブルはデスクトップコンピュータ、ノート型パソコン、タブレット型コンピュータ又は計算能力を有する他の装置に格納でき、様々な模擬形状、様々なサドルタイプ及び模擬形状とサドルタイプの対応する関係を含む。ユーザーに便利な選択を提供するため、対応する関係は一つのサドルタイプと比較した一つの模擬形状、複数のサドルタイプと比較した一つの模擬形状、又は一つのサドルタイプと比較した複数の模擬形状となり得る。一つのサドルタイプに対する一つの模擬形状が、サドルを選択するための迅速で効果的な提案を提供するために好ましい。
【００１９】
一つの例において、サドル接触モードの識別システムの模擬形状が電気的分類サドルを通して得られ、よって模擬形状を画面に示すことが出来る。
【００２０】
まとめると、本発明のサドル接触モードの識別システムは以下の利点を有する。（ａ）ユーザーの臀部が変形可能な圧力感知装置１１２に接触した後、模擬形状が座位圧力により形成される。（ｂ）比較テーブルを使用して適切なサドルタイプを決定することは選択時間を短縮し、サドルタイプを選択する正確性を向上させ得る。（ｃ）圧力パッドを使用する従来の方法と比較して、本発明は製造コストを削減出来る。（ｄ）変形可能な圧力感知装置１１２はサドル１１１に配置され、よって変形可能な圧力感知装置１１２は正確に骨盤の接触形状を得られる。
【００２１】
様々な修正及び変形が、本発明の範囲又は精神から逸脱せずに本発明の構造になされ得ることが当業者に明らかであろう。上述のことに鑑み、本発明が、請求項の範囲内である限り本発明の修正及び変形を含むことが意図される。
【符号の説明】
【００２２】
１００  ・・・サドル接触モードの識別システム
１１１  ・・・サドル
１１１ａ  ・・・本体
１１１ｂ  ・・・表皮
１１２  ・・・変形可能な圧力感知装置
【図１】
2015205687.tif 000003
【図２】
2015205687.tif 000004
【図３】
2015205687.tif 000005
【図４Ａ】
2015205687.tif 000006
【図４Ｂ】
2015205687.tif 000007
【図４Ｃ】
2015205687.tif 000008
【外国語明細書】
2015205687.tif 000009
2015205687.tif 000010
2015205687.tif 000011
2015205687.tif 000012
2015205687.tif 000013
2015205687.tif 000014
2015205687.tif 000015
2015205687.tif 000016
2015205687.tif 000017
2015205687.tif 000018
2015205687.tif 000019
2015205687.tif 000020
2015205687.tif 000021
2015205687.tif 000022
2015205687.tif 000023
2015205687.tif 000024
2015205687.tif 000025